(57)【特許請求の範囲】
【請求項１】
第１方向に延び前記第１方向に垂直な第２方向に並ぶ複数のライン上に配置された複数のドットを含んだ画面を備え、
前記複数のドットは、隣接するライン間で中心をずらして且つ前記第２方向には同色のドットが並ぶように且つ各色のドットが前記第１方向に順番に繰り返し並ぶように配置されており、
前記画面において、隣接する２本のライン上のドットを含んで且つ前記第１及び第２方向で以てマトリクス状に複数の画素が規定され、
各画素に関する画素データを取得し、前記画素データを用いて所定処理を実施し、処理された画素データに基づいて各前記画素を制御することにより、前記画面を駆動する駆動部を更に備え、
前記所定処理は、
表示する画像中の第１領域と第２領域との斜め境界を形成する画素を補正対象画素として検出する検出処理と、
前記補正対象画素の前記第１領域側のドットの表示状態を前記補正対象画素以外の前記第１領域内の同色のドットの表示状態に近づけるように前記補正対象画素の前記画素データを補正する第１の処理と、前記補正対象画素の前記第２領域側のドットの表示状態を前記補正対象画素以外の前記第２領域内の同色のドットの表示状態に近づけるように前記補正対象画素の前記画素データを補正する第２の処理と、の少なくとも一方を実施する補正処理とを、含み、
前記検出処理は、
前記複数の画素を順次に選択する選択処理と、
選択された画素を中心とする３×３の範囲内において前記選択された画素を挟む第１及び第２画素群間で前記画素データを比較することにより前記選択された画素が前記補正対象画素にあたるか否かを判定する判定処理と、を含み、
前記第１及び第２画素群はそれぞれＬ字型に並ぶ３つの画素から成る、
表示装置。
【請求項２】
第１方向に延び前記第１方向に垂直な第２方向に並ぶ複数のライン上に配置された複数のドットを含んだ画面を備え、
前記複数のドットは、隣接するライン間で中心をずらして且つ前記第２方向には同色のドットが並ぶように且つ各色のドットが前記第１方向に順番に繰り返し並ぶように配置されており、
前記画面において、隣接する２本のライン上のドットを含んで且つ前記第１及び第２方向で以てマトリクス状に複数の画素が規定され、
各画素に関する画素データを取得し、前記画素データを用いて所定処理を実施し、処理された画素データに基づいて各前記画素を制御することにより、前記画面を駆動する駆動部を更に備え、
前記所定処理は、
表示する画像中の第１領域と第２領域との斜め境界を形成する画素を補正対象画素として検出する検出処理と、
前記補正対象画素の前記第１領域側のドットの表示状態を前記補正対象画素以外の前記第１領域内の同色のドットの表示状態に近づけるように前記補正対象画素の前記画素データを補正する第１の処理と、前記補正対象画素の前記第２領域側のドットの表示状態を前記補正対象画素以外の前記第２領域内の同色のドットの表示状態に近づけるように前記補正対象画素の前記画素データを補正する第２の処理と、の少なくとも一方を実施する補正処理とを、含み、
前記検出処理は、
前記複数の画素を順次に選択する選択処理と、
選択された画素を中心とする３×３の範囲内において前記選択された画素を挟む第１及び第２画素群間で前記画素データを比較することにより前記選択された画素が前記補正対象画素にあたるか否かを判定する判定処理と、を含み、
前記第１及び第２画素群の少なくとも一方は、前記第２方向に並ぶ３つの画素を含んでＬ字型に並ぶ４つの画素から成る、
表示装置。
【請求項３】
請求項１又は請求項２に記載の表示装置であって、
前記第１領域側の前記ドットと前記第２領域側の前記ドットとの少なくとも一方のドットは、前記斜め境界を前記補正対象画素を通る直線で近似した仮想境界で２つの部分に区画されるドットを含み、
前記第１及び第２の処理のうちで前記少なくとも一方のドットに対応する少なくとも一方の処理は、前記２つの部分の面積比を利用して前記少なくとも一方のドットの前記表示状態を前記同色のドットの前記表示状態に近づけるように前記補正対象画素の前記画素データを補正する処理を含み、
前記補正処理は、前記補正対象画素を中心とする３×３よりも広い範囲内において前記補正対象画素を挟む第３及び第４画素群を複数種類用い、各種類毎に前記第３及び第４画素群間で前記画素データを比較して前記補正対象画素が前記斜め境界を形成するか否かを判定し、前記斜め境界を形成すると判定した前記第３及び第４画素群に基づいて前記仮想境界を設定する処理を更に含む、
表示装置。
【発明の詳細な説明】
【０００１】
【発明の属する技術分野】
この発明は表示装置に関し、具体的には例えばデルタ配列された複数のドットを含んでおりマトリクス状に複数の画素が規定された画面を備えた表示装置において、表示する画像中の斜め境界を平滑に表示すると共に斜め境界付近の色付きを抑制するための技術に関する。
【０００２】
【従来の技術】
特開２００１−２９０４６２号公報に、デルタ配列型表示装置でインタレース表示する方法が開示されている。この方法によれば走査線数を増やすことなく擬似的にインタレース表示を行うことができる。また、”Proceedings of Asia Display/International Display Workshops 2001” p789の論文にデルタ配列型表示装置において表示品質を改善する方法が開示されており、この方法では隣接するドットにデータを配分して文字の線を太く表示させる。これによれば、コンピュータ画像（ＰＣ画像）を表示する際に細かい文字が滑らかに表示される。これらの方法によって、デルタ配列型表示装置においても細かい文字や図形を実用的な水準で表示することが可能になる。
【０００３】
【発明が解決しようとする課題】
ここで、図２８に従来の第１の表示装置を説明するための模式図を示す。当該表示装置の画面１２Ａにおいて複数の画素Ｐが垂直方向ｖ及び水平方向ｈで以てマトリクス状に規定されており、各画素Ｐは赤（Ｒ），緑（Ｇ），青（Ｂ）のドット（図示せず）で構成されている。なお、画面１２Ａの複数のドットは全体としてマトリクス状に配置されている。
【０００４】
図２８に示す白色の平行四辺形を画面１２Ａ上に表示するために当該平行四辺形を各画素Ｐにサンプリングすると、図２９のようになる。なお、図２９は各画素Ｐに対して２値化を行った例である。更に、図３０には図２９中から従来のインタレース表示における偶数ライン（偶フィールド）を抜き出して図示している。なお、図２９及び図３０において斜線を付した画素Ｐが表示状態にある。
【０００５】
次に、図３１に従来の第２の表示装置を説明するための模式図を示す。当該表示装置の画面では複数のドットＣが画面１２Ａ全体に市松模様に配置されている。画面２Ａにおいて複数の画素Ｐは上記画面１２Ａと同様にマトリクス状に規定されているが、各画素Ｐ内でＲ，Ｇ，ＢのドットＣがデルタ配列されている。なお、図３１では各ドットＣの上下左右を空白で図示しているが、実際の表示装置ではこれらの空白を設けた構造にすることもできるし或いはほとんど無い構造にすることもできる。ここでは、画面２Ａにおいて図３１中の矢印の位置に表示する画像の走査線が割り当てられるものとする。
【０００６】
図３１には図３０のデータ（偶数ライン）を画面２Ａに展開した例を図示している。図３１から分かるように、画面２Ａでは上記平行四辺形の斜めの輪郭（境界）ないしは斜めの辺ＫＬ，ＫＲがギザギザとして荒れた状態で表示され、原画像の輪郭を忠実に再現しているとは言い難い。
【０００７】
具体的には、左側の斜めの辺ＫＬには窪み形状があり、右側の斜めの辺ＫＲには突出形状がある。また、左側斜め辺ＫＬでは青（Ｂ）のドットＣが少なくて赤（Ｒ）が目立つのに対し、右側斜め辺ＫＲはその逆の傾向がみられる。すなわち、原画像は白色であるにもかかわらず、画面上では左右端が色付いて見えてしまう。この色付きは、画面２Ａをコンピュータ用ディスプレイモニタに用い、細かい文字を表示させると顕著に認識される。なお、奇数ライン（奇フィールド）のデータについても同様の表示品質になる。
【０００８】
このように、デルタ配列型画素Ｐを有する画面２Ａでは斜め輪郭（境界）の形状が適切に表示されないという問題及びその輪郭付近が色付いて見えるという問題がある。これらの問題は、画像技術的には、ドットＣがデルタ配列された画面２Ａではストライプ配列型（又はトリオ配列型）画面に比べて斜め方向帯域が狭いことに起因した折り返しひずみによる妨害にあたる。
【０００９】
なお、画面２Ａにおいて上記論文の技術のように線を単に太く表示すると、垂直解像度が低下してしまい、細かい文字や空間周波数の高い成分を持った画像を適切に表示することができないという問題がある。
【００１０】
本発明はかかる点に鑑みてなされたものであり、表示する画像中の斜め境界を平滑に表示可能である共に斜め境界付近の色付きを抑制可能な表示装置を提供することを目的とする。
【００１１】
【課題を解決するための手段】
請求項１に記載の表示装置は、第１方向に延び前記第１方向に垂直な第２方向に並ぶ複数のライン上に配置された複数のドットを含んだ画面を備え、前記複数のドットは、隣接するライン間で中心をずらして且つ前記第２方向には同色のドットが並ぶように且つ各色のドットが前記第１方向に順番に繰り返し並ぶように配置されており、前記画面において、隣接する２本のライン上のドットを含んで且つ前記第１及び第２方向で以てマトリクス状に複数の画素が規定され、各画素に関する画素データを取得し、前記画素データを用いて所定処理を実施し、処理された画素データに基づいて各前記画素を制御することにより、前記画面を駆動する駆動部を更に備え、前記所定処理は、表示する画像中の第１領域と第２領域との斜め境界を形成する画素を補正対象画素として検出する検出処理と、前記補正対象画素の前記第１領域側のドットの表示状態を前記補正対象画素以外の前記第１領域内の同色のドットの表示状態に近づけるように前記補正対象画素の前記画素データを補正する第１の処理と、前記補正対象画素の前記第２領域側のドットの表示状態を前記補正対象画素以外の前記第２領域内の同色のドットの表示状態に近づけるように前記補正対象画素の前記画素データを補正する第２の処理と、の少なくとも一方を実施する補正処理とを、含み、前記検出処理は、前記複数の画素を順次に選択する選択処理と、選択された画素を中心とする３×３の範囲内において前記選択された画素を挟む第１及び第２画素群間で前記画素データを比較することにより前記選択された画素が前記補正対象画素にあたるか否かを判定する判定処理と、を含み、前記第１及び第２画素群はそれぞれＬ字型に並ぶ３つの画素から成る。
【００１２】
請求項２に記載の表示装置は、第１方向に延び前記第１方向に垂直な第２方向に並ぶ複数のライン上に配置された複数のドットを含んだ画面を備え、前記複数のドットは、隣接するライン間で中心をずらして且つ前記第２方向には同色のドットが並ぶように且つ各色のドットが前記第１方向に順番に繰り返し並ぶように配置されており、前記画面において、隣接する２本のライン上のドットを含んで且つ前記第１及び第２方向で以てマトリクス状に複数の画素が規定され、各画素に関する画素データを取得し、前記画素データを用いて所定処理を実施し、処理された画素データに基づいて各前記画素を制御することにより、前記画面を駆動する駆動部を更に備え、前記所定処理は、表示する画像中の第１領域と第２領域との斜め境界を形成する画素を補正対象画素として検出する検出処理と、前記補正対象画素の前記第１領域側のドットの表示状態を前記補正対象画素以外の前記第１領域内の同色のドットの表示状態に近づけるように前記補正対象画素の前記画素データを補正する第１の処理と、前記補正対象画素の前記第２領域側のドットの表示状態を前記補正対象画素以外の前記第２領域内の同色のドットの表示状態に近づけるように前記補正対象画素の前記画素データを補正する第２の処理と、の少なくとも一方を実施する補正処理とを、含み、前記検出処理は、前記複数の画素を順次に選択する選択処理と、選択された画素を中心とする３×３の範囲内において前記選択された画素を挟む第１及び第２画素群間で前記画素データを比較することにより前記選択された画素が前記補正対象画素にあたるか否かを判定する判定処理と、を含み、前記第１及び第２画素群の少なくとも一方は、前記第２方向に並ぶ３つの画素を含んでＬ字型に並ぶ４つの画素から成る。
【００１３】
請求項３に記載の表示装置は、請求項１又は請求項２に記載の表示装置であって、前記第１領域側の前記ドットと前記第２領域側の前記ドットとの少なくとも一方のドットは、前記斜め境界を前記補正対象画素を通る直線で近似した仮想境界で２つの部分に区画されるドットを含み、前記第１及び第２の処理のうちで前記少なくとも一方のドットに対応する少なくとも一方の処理は、前記２つの部分の面積比を利用して前記少なくとも一方のドットの前記表示状態を前記同色のドットの前記表示状態に近づけるように前記補正対象画素の前記画素データを補正する処理を含み、前記補正処理は、前記補正対象画素を中心とする３×３よりも広い範囲内において前記補正対象画素を挟む第３及び第４画素群を複数種類用い、各種類毎に前記第３及び第４画素群間で前記画素データを比較して前記補正対象画素が前記斜め境界を形成するか否かを判定し、前記斜め境界を形成すると判定した前記第３及び第４画素群に基づいて前記仮想境界を設定する処理を更に含む。
【００１７】
【発明の実施の形態】
＜実施の形態１＞
図１に本発明に係る表示装置１の模式図を示す。図１に示すように、表示装置１は、画面２Ａを有する表示部２と、各種の駆動信号ないしは駆動電圧を表示部２に供給して画面２Ａを駆動する駆動部３と、に大別される。表示部２は、例えば、プラズマディスプレイパネル（ＰＤＰ）、液晶ディスプレイ（ＬＣＤ）、有機エレクトロルミネッセントディスプレイ（ＯＥＬＤ）、デジタルマイクロミラーデバイス（ＤＭＤ）を用いたプロジェクター、配列型ＬＥＤディスプレイ（各色のＬＥＤチップが配列されて成る）等で以て構成される。このとき、表示部２に適用されるディスプレイに応じて駆動部３の基本的な構造が適宜設計されることは言うまでもない。
【００１８】
画面２Ａは水平方向（ないしは第１方向）ｈ及び垂直方向（ないしは第２方向）ｖに配置された複数のドット（ないしはサブピクセル）Ｃを含んでいる。なお、図面の煩雑化を避けるため図１では一部のドットＣのみを図示している。このとき、水平方向ｈに１列に並ぶドットＣが１本の水平ライン（又は行）を形成し、複数の水平ラインが垂直方向ｖに並んでいる。逆に言えば、水平方向ｈに延び垂直方向ｖに並ぶ複数の水平ライン上に複数のドットＣが配置されている（各ドットＣの中心が水平ライン上に在るとする）。同様に、垂直方向ｖに１列に並ぶドットＣが１本の垂直ライン（又は列）を形成し（各ドットＣの中心が垂直ライン上に在るとする）、複数の垂直ラインが水平方向ｈに並んでいる。
【００１９】
複数のドットＣは画面２Ａ全体においてデルタ配列されている。具体的には、隣接する水平ライン上のドットＣは互いの中心をずらして配置されている。なお、画面２Ａでは複数のドットＣは上下左右に空白を有して市松模様に配置されているが、例えばドットＣの平面視を６角形にすることにより上記空白を無くしてドットＣ同士が接するように構成することも可能である。
【００２０】
更に、垂直方向ｖに１列に並ぶ（すなわち各垂直ライン上の）ドットＣは同じ表示色を表示可能に構成されている。すなわち、各垂直ライン毎に表示色が設定されており、ここでは赤（Ｒ），緑（Ｇ），青（Ｂ）を表示可能な垂直ラインが水平方向ｈに順番に繰り返し並んでいる。なおこのとき、各水平ライン上にはＲ，Ｇ，ＢのドットＣが水平方向ｈに順番に繰り返し並んでいる。
【００２１】
画面２Ａでは、水平方向ｈ及び垂直方向ｖで以てマトリクス状に複数の画素Ｐが規定され、各画素Ｐは隣接する２本の水平ライン上の３つのドットＣ、より具体的にはデルタ配列されたＲ，Ｇ，ＢのドットＣを含むように規定される（デルタ配列型画素）。なお、水平方向ｈに並ぶ画素Ｐで以て換言すれば２本の水平ラインで以て画面２Ａの走査線ＳＬが形成される。
【００２２】
このとき、図２及び図３の模式図に示すように、画素Ｐには当該画素Ｐ内の３つのドットＣが成すデルタ形（３角形）の向きによって上向き画素及び下向き画素の２種類が有り、当該２種類の画素が垂直方向ｖ及び水平方向ｈの双方において交互に並んでいる。ここで上記３角形において頂点が底辺よりも画面上方に在る場合を上向きと表現し、その逆を下向きと表現する。
【００２３】
なお、以下の説明では必要に応じて、画面２Ａの左上端から水平方向ｈにｎ番目且つ垂直方向ｖにｍ番目の画素Ｐを「画素Ｐ［ｎ，ｍ］」のように表記する。
【００２４】
駆動部３は、各画素Ｐに関するデータ（以下「画素データ」とも呼ぶ）Ｄを取得し、当該画素データＤを用いて所定処理を実施し、処理された画素データＤに基づいて各画素Ｐ内のドットＣの表示状態を制御する（従って画素データＤはドットＣに関するデータ（以下「ドットデータ」とも呼ぶ）を含んでいる）。これにより、画面２Ａの全ドットＣの表示状態を制御し、画面２Ａを駆動する。特に、上記所定処理は検出処理及び補正処理を含んでおり、以下にこれらの処理を詳述する。
【００２５】
まず、検出処理では、表示する画像中の２つの領域の斜め境界ないしは各領域の輪郭、例えば図２８中の斜め辺ＫＬ，ＫＲを形成する画素Ｐを補正対象の画素Ｐとして検出する。検出処理は、複数の画素Ｐを順次に選択する選択処理と、選択された画素Ｐが上記補正対象の画素Ｐにあたるか否かを判定する判定処理と、を含んでいる。
【００２６】
特に、実施の形態１に係る判定処理では図４及び図５の模式図に示すように、選択処理で選択された画素Ｐすなわち判定対象の画素Ｐを中心とする３×３の範囲内の画素群ＬＴ，ＲＢ，ＬＢ，ＲＴを利用する。各画素群ＬＴ，ＲＢ，ＬＢ，ＲＴはＬ字型に並ぶ３つの画素Ｐから成り、具体的には、判定対象の画素Ｐ［ｎ，ｍ］に対して、
・画素Ｐ［ｎ，ｍ−１］，Ｐ［ｎ−１，ｍ−１］，Ｐ［ｎ−１，ｍ］から成る左上画素群ＬＴと、
・画素Ｐ［ｎ，ｍ＋１］，Ｐ［ｎ＋１，ｍ＋１］，Ｐ［ｎ＋１，ｍ］から成る右下画素群ＲＢと、
・画素Ｐ［ｎ，ｍ＋１］，Ｐ［ｎ−１，ｍ＋１］，Ｐ［ｎ−１，ｍ］から成る左下画素群ＬＢと、
・画素Ｐ［ｎ，ｍ−１］，Ｐ［ｎ＋１，ｍ−１］，Ｐ［ｎ＋１，ｍ］から成る右上画素群ＲＴと、
を利用する。
【００２７】
このとき、図４に示すように判定対象画素Ｐを挟む画素群（ないしは第１及び第２画素群）ＬＴ，ＲＢで以て判定対象画素Ｐが右上がりの境界（例えば図３１の斜め辺ＫＬ，ＫＲ）を形成するか否かを判定する。逆に、図５に示すように判定対象画素Ｐを挟む画素群（ないしは第１及び第２画素群）ＬＢ，ＲＴで以て判定対象画素Ｐが右下がりの境界を形成するか否かを判定する。ここでは、右上がりの境界の判定を例に挙げて説明する。
【００２８】
まず、左上画素群ＬＴの３つの画素Ｐの画素データＤを比較するともに、右下画素群ＲＢについても同様に比較する。なお、画素データＤの比較を同色のドットのデータ同士の比較によって実施することも可能である。ここで、「データが等しい」とはデータが互いに全く等しい場合を少なくとも含み、あるいは更にデータの差が予め設定した許容範囲内である場合をも含むものとする。画素データＤの比較において上記許容範囲は、例えば画素Ｐの表示色（中間調を含む）に基づいて、より具体的には画素Ｐ内の各色のドットＣの表示状態（輝度レベル）に基づいて規定し、適宜設定される。なお、ドットＣの表示状態は当該ドットＣに関するデータ（ドットデータ）に対応し、ここではドットデータの大小はドットＣの輝度の高低に相関するものとする。
【００２９】
画素群内の３つの画素データＤが異なると判定された場合には、次の判定対象画素Ｐを選択して同様の判定を実施する。
【００３０】
他方、画素群内の３つの画素データＤが等しいと判定された場合、次に２つの画素群ＬＴ，ＲＢ間で画素データＤを比較する。そして、画素群ＬＴ，ＲＢ間で画素データＤが異なる場合には、判定対象画素Ｐは右上がり境界を形成すると判定する、すなわち判定対象画素Ｐを補正対象画素として検出する。なお、画素群ＬＴ，ＲＢ間で画素データＤが等しい場合には、次の画素Ｐの判定処理に移行する。
【００３１】
ここで、画素群ＬＴ，ＲＢ間の画素データＤの比較は、例えば、（ａ）各画素群ＬＴ，ＲＢの３つの画素Ｐ全てについて画素データＤを比較することによって、又は、（ｂ）各画素群ＬＴ，ＲＢのうちの代表の各１つについて画素データＤを比較することによって、又は、（ｃ）各画素群ＬＴ，ＲＢ毎に画素データＤを平均し、当該平均画素データ同士を比較することによって、実施する。
【００３２】
なお、判定対象画素Ｐ及び画素群ＬＴ，ＲＢがグラデーション表示を形成している場合、各画素群内ＬＴ，ＲＢ内で画素データＤの差は比較的小さく且つ画素群ＬＴ，ＲＢ間でも画素データＤの差が比較的小さい。このような判定対象画素Ｐを補正対象画素として検出しないようにするためには、画素群ＬＴ，ＲＢ間での画素データＤの差が各画素群ＬＴ，ＲＢ内での画素データＤの差よりも大きい場合に判定対象画素Ｐを検出するようにすれば良い。例えば、画素群ＬＴ，ＲＢ間で画素データＤが異なると判定するための許容最小値を、各画素群ＬＴ，ＲＢ内で画素データＤが等しいと判定するための許容最大値よりも大きく設定する。
【００３３】
右下がり輪郭の判定は図５の画素群ＬＢ，ＲＴを用いて同様に処理可能である。
【００３４】
このような検出処理による結果を図６の模式図に示す。図６では既述の図３１の例において、検出された補正対象画素Ｐに○印を付している。ここで、表示する画像において平行四辺形を第１領域と呼び、平行四辺形外の領域を第２領域と呼ぶとき、第１領域の輪郭を形成する画素Ｐには○印を付した補正対象画素Ｐのうちで斜線を付した画素Ｐが含まれ、第２領域の輪郭を形成する画素Ｐには○印を付した補正対象画素Ｐのうちで斜線等を付していない画素Ｐが含まれる。なお、既述のように、表示する画像上では第１及び第２領域の直線状の輪郭で以て直線状に斜め境界ＫＬ，ＫＲが形成されるのに対して、従来の表示装置では斜め境界ＫＬ，ＫＲは画面２Ａ上でギザギザに表示されてしまう。
【００３５】
次に、補正処理では上述の検出処理で検出された補正対象画素Ｐの画素データＤを補正する。
【００３６】
詳細には、まず、補正対象画素Ｐ内の３つのドットＣは相対的に平行四辺形側に位置するドットＣと相対的に平行四辺形外の領域側に位置するドットＣとに分類される。そして、補正対象画素Ｐ内の平行四辺形側のドットＣの表示状態を当該平行四辺形内の同色のドットＣ（但し補正対象画素Ｐ以外のドットＣ）の表示状態に近づけるように、上記平行四辺形側のドットＣのドットデータを補正する（第１の処理）。同様に、補正対象画素Ｐ内の平行四辺形外の領域側のドットＣの表示状態を当該領域内の同色のドットＣ（但し補正対象画素Ｐ以外のドットＣ）の表示状態に近づけるように、当該領域側のドットＣのドットデータを補正する（第２の処理）。すなわち、このようなドットデータの補正により補正対象画素Ｃの画素データＤを補正する。なお、このとき、補正対象画素Ｐは、斜め境界を形成する２つの領域の表示状態を混在させたような表示状態に補正される。
【００３７】
具体的には、実施の形態１に係る補正処理では、上述の平行四辺形側のドットＣ及び平行四辺形外の領域側のドットＣは予め選定されている。このとき、補正対象の画素Ｐが上向きであるか下向きであるかで上述のドットＣの分け方が異なる。すなわち、図７の模式図に示すように、右上がり境界ＫＬを形成する上向き画素Ｐにおいては、ＢのドットＣを平行四辺形側のドットＣに選定し、Ｒ及びＧのドットＣを平行四辺形外の領域側のドットＣに選定している。これに対して、図８の模式図に示すように、右上がり境界ＫＬを形成する下向き画素Ｐにおいては、Ｂ及びＧのドットＣを平行四辺形側のドットＣに選定し、ＲのドットＣを平行四辺形外の領域側のドットＣに選定している。なお、上述の補正対象画素Ｐがもう一方の右上がり境界ＫＲを形成している場合には、上述の各画素ＰにおけるドットＣの選定は逆になる。
【００３８】
同様に、図９の模式図に示す右下がり境界を形成する上向き画素ＰではＲのドットＣとＧ及びＢのドットＣとに分けられ、図１０の模式図に示す右下がり境界を形成する下向き画素ＰではＲ及びＧのドットＣとＢのドットＣとに分けられる。
【００３９】
そして、補正対象画素Ｐが図７に示す右上がり境界ＫＬを形成する上向き画素Ｐの場合、補正対象画素ＰのＢのドットＣの補正後のドットデータとして、例えばそれの補正前のデータ（現データ）と平行四辺形内のＢのドットＣ（但し補正対象画素Ｐ以外のドットＣ）のドットデータとの平均値が利用可能である。このとき、上述の平行四辺形内のＢのドットＣのドットデータとして、例えば補正対象画素Ｐに近接する画素群ＲＢ（図４参照）（該画素群ＲＢは当該補正対象画素Ｐを検出するのに利用している）のＢのドットデータを用いることができる。なお、上記同色のドットＣのドットデータとして、例えば画素群ＲＢ内の３つのドットＣの演算値（例えば平均値）を用いても良いし、当該３つのドットＣのいずれかのドットデータを用いても良い。同様に、例えば補正対象画素ＰのＧ及びＲの補正前のデータ（現データ）と画素群ＬＴ（図４参照）の同色のドットデータとをそれぞれ平均することにより、Ｇ及びＲの補正後のドットデータを算出する。図８〜図１０に示す画素Ｐの場合も同様にしてドットデータを補正する。
【００４０】
なお、補正対象画素Ｐが画素群ＬＴ又は画素群ＲＢのいずれに属しているかの判定（「属性判定」と呼ぶことにする）を実施することにより、第１又は第２のいずれかの処理のみによって画素データＤを補正することも可能である。ここで、属性判定は例えば判定対象画素Ｐの画素データＤが画素群ＬＴ又は画素群ＲＢのいずれの画素データＤに近いか（差が小さいか）で以て行い、より近い（等しい場合を含む）画素データＤを有する画素群ＬＴ又は画素群ＲＢに属すると判定する。そして、例えば図７に示す右上がり境界ＫＬを形成する上向きの補正対象画素Ｐが画素群ＲＢに属している場合、Ｂのドットデータの補正（第１の処理）は実施せずにＧ及びＲのドットデータの補正（第２の処理）のみを実施することにより、画素データＤを補正しても良い。このとき、属性判定処理は第１及び第２の処理の前までに実施すれば良く、例えば検出処理での判定対象画素Ｐに対して判定処理と共に実施することも可能である。
【００４１】
駆動部３はこのような処理を各画素データＤについて実施し、補正対象画素Ｐの画素データＤを補正する。このとき、補正された画素データＤを元の画素データＤと順次に置き換え、続く検出処理及び補正処理では補正後のデータＤを用いる方法（順次上書き方法）と、検出処理及び補正処理にはあくまで元の画素データＤのみを用いて補正後の画素データＤは用いない方法（同時変換方法）と、の２種類の方法が考えられ、両者の結果は微妙に異なる。なお、同時変換方法では補正後の画素データＤを保存するための記憶手段（例えば半導体メモリやハードディスク装置）が１プレーン分余分に必要となるが、順次上書き方法はそのような記憶手段の増設をしなくても実施可能である。
【００４２】
図１１に同時変換方法による処理の結果例を示す。なお、図１１では、補正されたドットＣないしは画素Ｐを砂地を付して図示している。図１１と図３１（又は図６）とを比べると、実施の形態１に係る上述の処理によって斜め境界ＫＬ，ＫＲがより平滑に表示されていることが分かる。更に、斜め境界ＫＬ，ＫＲにあたる部分でのＲ，Ｇ，Ｂの密度がおおむね均一化されており、色付きが抑制されていることが分かる。
【００４３】
なお、右側の斜め境界ＫＲにあたる部分にはやや凹凸が見られるが、奇フィールドに対しても同様の処理を実施し、両フィールドを交互に表示すれば結果的には滑らかな境界ないしは輪郭を得ることができる。また、偶奇フィールドの処理結果を平均化した画素データＤを用いてプログレッシブ表示を行っても同様に滑らかな輪郭を得ることができる。
【００４４】
実施の形態１に係る処理では上述のように判定対象画素Ｐを中心とする３×３の範囲内で画素群ＬＴ，ＲＢ，ＬＢ，ＲＴを設定するので、例えば後述の実施の形態２に係る処理のようにより広い範囲内から設定する場合と比較して、判定処理のデータ処理量が少なくて済む。これにより、リアルタイム処理が可能になるので、上述の検出処理及び補正処理を動画表示にも応用しうる。また、データ処理量の少なさゆえ、駆動部３において実施の形態１に係る処理を実施する回路を安価に構成することができる。これらの効果は大画面ディスプレイのように判定処理・検出処理を膨大な数の画素Ｐに対して実施する場合により顕著になる。
【００４５】
さらに、画素群ＬＴ，ＲＢ，ＬＢ，ＲＴは上記３×３の範囲内のＬ字型に並ぶ３つの画素から成るので、例えば各画素群として判定対象画素Ｐの四方の各１つの画素Ｐを用いるよりも、判定処理の判定精度が高い。このとき、上述のＬ字型の３つの画素Ｐによれば、判定精度の確保と判定処理量の抑制とのバランスがとれた判定処理が実現される。
【００４６】
＜実施の形態２＞
さて、図１２及び図１３に示すように、上述の各画素群ＬＴ，ＲＢ，ＬＢ，ＲＴを上述の３つの画素Ｐに更に１つの画素Ｐを加えて４つの画素Ｐで構成することも可能である。すなわち、
・左上画素群ＬＴを上述の３つの画素Ｐ［ｎ，ｍ−１］，Ｐ［ｎ−１，ｍ−１］，Ｐ［ｎ−１，ｍ］と画素Ｐ［ｎ−１，ｍ＋１］とで以て構成し、
・右下画素群ＲＢを上述の３つの画素Ｐ［ｎ，ｍ＋１］，Ｐ［ｎ＋１，ｍ＋１］，Ｐ［ｎ＋１，ｍ］と画素Ｐ［ｎ＋１，ｍ−１］とで以て構成し、
・左下画素群ＬＢを上述の３つの画素Ｐ［ｎ，ｍ＋１］，Ｐ［ｎ−１，ｍ＋１］，Ｐ［ｎ−１，ｍ］と画素Ｐ［ｎ−１，ｍ−１］とで以て構成し、
・右上画素群ＲＴを上述の３つの画素Ｐ［ｎ，ｍ−１］，Ｐ［ｎ＋１，ｍ−１］，Ｐ［ｎ＋１，ｍ］と画素Ｐ［ｎ＋１，ｍ＋１］とで以て構成する。
【００４７】
このとき、各画素群ＬＴ，ＲＢ，ＬＢ，ＲＴは垂直方向ｖに並ぶ３つの画素Ｐを含んでＬ字型に並ぶ４つの画素から成る。
【００４８】
これらの画素群ＬＴ，ＲＢ，ＬＢ，ＲＴを用いて既述の検出処理を実施すると、図１４の模式図中に○印を付した画素Ｐが斜め境界ＫＬ，ＫＲを形成し且つ補正を要すると判定される。なお、図１４には図３１及び図６と同様の表示画像の例を図示している。
【００４９】
図１４と図６とを比較すれば分かるように、実施の形態２に係る検出処理の方が、検出される補正対象画素Ｐが少ない。これは、各画素群ＬＴ，ＲＢ，ＬＢ，ＲＴにおいて４つの画素Ｐの画素データＤが全て等しいと判定される必要性に依る。
【００５０】
実施の形態２に係る検出処理後に既述の補正処理を行うと図１５の模式図に示す表示が得られる。図１５によれば左側及び右側の斜め輪郭ＫＬ，ＫＲにあたる部分には多少凹凸が見られるが、実施の形態１と同様に、補正された偶奇フィールドを交互に表示すれば、あるいは、偶奇フィールドの処理結果を平均化した画素データＤを用いてプログレッシブ表示を行えば滑らかな輪郭を得ることは可能である。
【００５１】
さて、図１５の方が図１１よりも境界ＫＬ，ＫＲ付近の広がり幅が小さいことが分かる。これは、図１４と図６とを比較すれば分かるように、実施の形態２に係る処理によれば、実施の形態１に係る処理で検出された画素Ｐのうちの一部のみが検出されていることに、すなわち実施の形態１に係る処理よりも補正対象画素Ｐの検出数が少ないことに起因する。特に、実施の形態２に係る検出処理は、補正をしなければ画面２Ａ上で水平方向ｈに対して急峻な凹凸として表示されてしまう輪郭に対応の画素Ｐにターゲットを絞って検出している。つまり、各画素群ＬＴ，ＲＢ，ＬＢ，ＲＴを上述の４つの画素Ｐで構成することによって、急峻な凹凸な輪郭を形成しうる画素Ｐを選択的に検出することができる。
【００５２】
その結果、実施の形態２に係る画素群ＬＴ，ＲＢ，ＬＢ，ＲＴによれば、急峻な凹凸を形成しうる輪郭を平滑化し、斜め境界を平滑に表示することができる。更に、検出される画素Ｐ、すなわち補正する画素Ｐの数が減るので、境界（輪郭）のぼけを抑制することができる。
【００５３】
なお、４つの画素Ｐから成る画素群と、３つの画素Ｐから成る画素群とを組み合わせても構わない。例えば左上画素群ＬＴを４つの画素Ｐで構成する一方で右下画素群ＲＢを３つの画素Ｐで構成しても同様の効果が得られる。
【００５４】
＜実施の形態３＞
実施の形態２では急峻な凹凸の輪郭を検出する場合を説明したが、既述の図１２及び図１３を９０度反転させた画素群を用いれば水平方向ｈの凹凸がなだらかな輪郭、換言すればなだらかな斜め境界を検出することが可能である。
【００５５】
一例としてなだらなか右下がりの輪郭を形成する画素Ｐ［ｎ，ｍ］を検出する場合を説明する。具体的には、図１６の模式図に示すように、
・左下画素群ＬＢを４つの画素Ｐ［ｎ，ｍ＋１］，Ｐ［ｎ−１，ｍ＋１］，Ｐ［ｎ−１，ｍ］，Ｐ［ｎ＋１，ｍ＋１］で以て構成し、
・右上画素群ＲＴを４つの画素Ｐ［ｎ，ｍ−１］，Ｐ［ｎ＋１，ｍ−１］，Ｐ［ｎ＋１，ｍ］，Ｐ［ｎ−１，ｍ−１］で以て構成する
ことにより、判定対象画素Ｐ［ｎ，ｍ］が右下がりのなだらかな境界又は輪郭を形成するか否かを判定可能である。
【００５６】
ここで、図１６の例を用いて、画素群ＬＢ，ＲＴで以て検出可能な斜め境界を補正対象画素Ｐを通る直線で近似した仮想境界（又は仮想輪郭）Ｋを考える。このとき、仮想境界Ｋは例えば次の方法により設定される。
【００５７】
まず、仮想境界Ｋの傾きは画素群ＬＢ，ＲＴの形状によって規定する。具体的には、仮想境界Ｋの傾きは、画素群内で最も離れた２つの画素Ｐ（例えば画素群ＬＢでは画素Ｐ［ｎ−１，ｍ］，Ｐ［ｎ＋１，ｍ＋１］）の中心間を結ぶ線の傾きに等しく設定する。
【００５８】
そして、対象画素Ｐ（の中心）に対する仮想境界Ｋの相対位置（図１６の例では垂直位置）は対象画素Ｐの属性によって規定する。具体的には、図１６には対象画素Ｐが画素群ＬＢに属する場合を図示しており、このとき画素群ＬＢと等しい画素データＤを有する領域は対象画素Ｐの分だけ画素群ＲＴの側へ出っ張っている。これに対応して仮想境界Ｋを対象画素Ｐの中心から画素群ＲＴの側へずらして設定する。例えば３×３の範囲内において（画素群ＬＢと等しい画素データＤを有する画素数（又は面積））：（画素群ＲＴと同じ画素データＤを有する画素数（又は面積））＝５：４である点に鑑み、当該比を以て仮想境界Ｋが３×３の範囲を区画するように仮想境界Ｋの相対位置を設定する。
【００５９】
或いは、補正対象ドットＣがより少なくなるように（例えば後述の図１８の例においてＲのドットＣのみが補正対象となるように）、仮想境界Ｋの相対位置を設定しても構わない。
【００６０】
なお、対象画素Ｐの属性を考慮しない場合には仮想境界Ｋは対象画素Ｐの中心を通るように設定すれば良い。
【００６１】
このような画素Ｐ［ｎ，ｍ］を通る仮想境界Ｋは、図１７及び図１８に示すように、画素Ｐが上向きか下向きかに関わらず、画素Ｐ［ｎ，ｍ］のドットＣの少なくとも１つを分断するように横切る。このため、仮想境界Ｋで分断されるドットＣに実施の形態１に係る補正処理（図７〜図１０参照）を適用すると、表示品質が低下する場合が生じうる。
【００６２】
そこで、実施の形態３に係る補正処理では、補正対象画素Ｐがなだらかな境界を形成する画素にあたる場合に、補正対象画素Ｐ内の各ドットＣについて仮想境界Ｋによる分断され具合に応じてデータを補正する。例えば、ドット毎に仮想境界Ｋによって分断された２つの部分ＳＴ，ＳＢの面積を求め、これらの面積比を利用して各ドットＣの表示状態を所定の画素群ＬＢ又はＲＴの同色のドットＣの表示状態に近づける。
【００６３】
より具体的には、図１７及び図１８に示すように仮想境界ＫによってドットＣが画素群ＬＢ側の部分ＳＢ及び画素群ＲＴ側の部分ＳＴに分断される場合、部分ＳＢ，ＳＴの面積を同じ符号を用いてＳＢ，ＳＴで表し、当該ドットＣの補正前及び補正後のドットデータをＤＣ０，ＤＣとし、画素群ＲＴ内の同色ドットＣのドットデータをＤＱとするとき、
0003919557.tif 000002
を満たすようにドットデータＤＣ０を補正する。
【００６４】
ＤＱとして画素群ＲＴ内の例えば１つの同色ドットＣの値や複数の同色ドットＣの平均値を用いることが可能である。かかる補正処理は各色のドットＣについて実施するが、分断されていない補正対象ドットＣに対しては結果的に実施の形態１に係る補正処理を行うことになる。
【００６５】
実施の形態３に係る処理は上述の急峻な斜め境界を形成する画素Ｐに対しても適用可能であることは言うまでもなく、例えば実施の形態１に係る補正処理（図４及び図５並びに図７〜図１０参照）はドットＣを横切らないように仮想境界Ｋを設定した場合にあたる。従って、実施の形態３に係る処理によれば、様々な角度の斜め境界やドット形状に対しても斜め境界を平滑に表示することができる。
【００６６】
＜実施の形態４＞
駆動部３による実施の形態１〜３に係る処理は、表示部２が図１９及び図２０の模式図に示す画面２ＡＡ，２ＡＢを備える場合にも適用可能である。
【００６７】
詳細には、図１９に示すように、画面２ＡＡの画素（以下「横方向（又は水平方向）センタリング配列型画素」と呼ぶ）Ｐは、図１等に図示される既述の画素Ｐにおいて同じ水平ライン上に配置された２つのドットＣ（ここではＲ及びＢのドットＣ）を互いに寄せた構造にあたる。
【００６８】
他方、図２０に示すように、画面２ＡＢの画素（以下「Π配列型画素」と呼ぶ）Ｐは、上記横方向センタリング配列型画素Ｐにおいて上述の２つのドットＣを有した水平ラインに隣接する水平ライン上に単独で配置されたドットＣ（ここではＧのドットＣ）を水平方向ｈに広げた構造にあたる。図２０にはＧのドットＣをＲ及びＢのドットＣの両外端と同じにまで広げた場合を図示している。
【００６９】
ここで、画面２ＡＡ，２ＡＢのいずれにおいても、複数のドットＣが複数の水平ライン上に配置されており、又、隣接する水平ライン間で中心をずらして且つ垂直方向ｖには同色のドットＣが並ぶように配置されており、又、各色のドットＣが水平方向ｈに順番に繰り返し並ぶように配置されている。つまり、かかる点において横方向センタリング配列型画素Ｐ及びΠ配列型画素Ｐはデルタ配列型画素Ｐと共通する。
【００７０】
なお、横方向センタリング配列型画素Ｐ及びΠ配列型画素Ｐに実施の形態３に係る処理を適用する場合を図２１及び図２２に模式的に示す。このとき、図１９〜図２２に図示のＲ，Ｇ，Ｂの配列及び図２１及び図２２に図示の仮想境界Ｋは単なる一例であることは言うまでもない。
【００７１】
＜実施の形態５＞
上述の説明では画素群ＬＴ，ＲＢ，ＬＢ，ＲＴを判定又は補正対象画素Ｐを中心とした３×３の範囲内の画素Ｐで構成する場合を述べたが、図２３〜図２７の模式図に示すように例えば３×５や５×５の範囲内の画素Ｐで構成することも可能である。
【００７２】
具体的には、図２３の例では、
・一方の画素群（ないしは第３又は第４画素群）ＰＴを画素Ｐ［ｎ−２，ｍ−１］，Ｐ［ｎ−１，ｍ−１］，Ｐ［ｎ，ｍ−１］，Ｐ［ｎ＋１，ｍ］，Ｐ［ｎ＋２，ｍ］で以て構成し、
・他方の画素群（ないしは第４又は第３画素群）ＰＢを画素Ｐ［ｎ＋２，ｍ＋１］，Ｐ［ｎ＋１，ｍ＋１］，Ｐ［ｎ，ｍ＋１］，Ｐ［ｎ−１，ｍ］，Ｐ［ｎ−２，ｍ］で以て構成する。
【００７３】
なお、対象画素Ｐを挟むように画素群ＰＴ，ＰＢの画素Ｐを選定すれば良く、３×５や５×５の範囲内の全ての画素Ｐを用いる必要はない（図２３〜図２７参照）。
【００７４】
図２３〜図２７に示すように複数の種類の画素群ＰＴ，ＰＢを用いることにより、曲線を含んだ複雑な境界にも柔軟に対応することができる。
【００７５】
ところで、実施の形態５に係る処理では実施の形態１等に係る処理よりもデータ量が増えるので計算量が大きくなる。例えば実施の形態１に係る検出処理によっても補正対象画素Ｐを十分に検出可能である点に鑑みれば、例えば実施の形態１等に係る検出処理と実施の形態５に係る画素群ＰＴ，ＰＢを用いた補正処理とを組み合わせることにより、上述のデータ処理量を削減することができる。
【００７６】
例えば上述の組み合わせの場合、補正対象画素Ｐの検出には画素群ＰＴ，ＰＢを用いないので、複数種類のうちのどの画素群ＰＴ，ＰＢで規定される仮想境界Ｋによって補正処理を実施するのかを決めるために補正処理中に画素群ＰＴ，ＰＢを用いた判定処理を行う。すなわち、該補正処理において、各種類毎に画素群ＰＴ，ＰＢ間で画素データＤを比較して補正対象画素Ｐが斜め境界を形成するか否かを判定する。そして、複数種類の画素群ＰＴ，ＰＢのうちで補正対象画素Ｐが斜め境界を形成すると判定した画素群ＰＴ，ＰＢに基づいて仮想境界Ｋを設定する。その後、当該仮想境界Ｋを用いて画素データＤを補正する。
【００７７】
画素群ＰＴ，ＰＢによれば様々な傾きの仮想境界Ｋを想定可能なので、仮想境界Ｋを利用した補正処理の精度を上げることができる。その結果、より平滑な境界を表示することができる。なお、図２３〜図２７には補正対象画素Ｐの属性を考慮しない場合の仮想境界Ｋを図示しているが、もちろん該属性を考慮しても構わない。
【００７８】
なお、上述の実施の形態１〜５の説明では白色の平行四辺形を例に挙げたが、表示色及び表示する画像の種類はこれに限られない。
【００７９】
【発明の効果】
請求項１又は請求項２に係る発明によれば、補正処理によって斜め境界を平滑に表示することができると共に斜め境界付近の色付きを抑制することができる。
【００８０】
請求項１又は請求項２に係る発明によれば、選択された画素を中心とする３×３の範囲内で第１及び第２画素群を設定するので、より広い範囲内から設定する場合と比較して、判定処理のデータ処理量が少なくて済む。このため、所定処理を動画表示にも対応可能にしうる。また、駆動部において所定処理を実施する回路を安価に構成することができる。判定処理を膨大な数の画素に対して実施する場合に、これらの効果はより顕著になる。
【００８１】
請求項１に係る発明によれば、判定精度の確保と判定処理量の抑制とのバランスがとれた判定処理を実現できる。
【００８２】
請求項２に係る発明によれば、補正をしなければ急峻な凹凸として表示されてしまう輪郭（斜め境界を形成する）を形成する画素を選択的に検出することができる。このため、そのような輪郭を（従って斜め境界を）平滑に表示することができる。更に、選択的な検出によって、補正する画素の数が減るので、境界（輪郭）のぼけを抑制することができる。
【００８３】
請求項３に係る発明によれば、様々な角度の斜め境界やドット形状に対しても斜め境界を平滑に表示可能な補正処理を実現できる。
【００８４】
請求項３に係る発明によれば、補正対象画素を中心とする３×３よりも広い範囲内で第３及び第４画素群を設定するので、様々な傾きの仮想境界を想定可能である。このため、補正処理の処理精度を上げてより平滑な境界を表示することができる。なお、判定処理（検出処理）には３×３の範囲内で設定された第１及び第２画素群を用いることにより、所定処理全体のデータ処理量を抑制しつつ上述の効果を得ることができる。
【図面の簡単な説明】
【図１】  本発明に係る表示装置を説明するための模式図である。
【図２】  デルタ配列型画素を説明するための模式図である。
【図３】  デルタ配列型画素を説明するための模式図である。
【図４】  実施の形態１に係る処理を説明するための模式図である。
【図５】  実施の形態１に係る処理を説明するための模式図である。
【図６】  実施の形態１に係る処理による結果を説明するための模式図である。
【図７】  実施の形態１に係る処理を説明するための模式図である。
【図８】  実施の形態１に係る処理を説明するための模式図である。
【図９】  実施の形態１に係る処理を説明するための模式図である。
【図１０】  実施の形態１に係る処理を説明するための模式図である。
【図１１】  実施の形態１に係る処理の結果を説明するための模式図である。
【図１２】  実施の形態２に係る処理を説明するための模式図である。
【図１３】  実施の形態２に係る処理を説明するための模式図である。
【図１４】  実施の形態２に係る処理を説明するための模式図である。
【図１５】  実施の形態２に係る処理による結果を説明するための模式図である。
【図１６】  実施の形態３に係る処理を説明するための模式図である。
【図１７】  実施の形態３に係る処理を説明するための模式図である。
【図１８】  実施の形態３に係る処理を説明するための模式図である。
【図１９】  実施の形態４に係る、横方向センタリング配列型画素を備えた画面を説明するための模式図である。
【図２０】  実施の形態４に係る、Π配列型画素を備えた画面を説明するための模式図である。
【図２１】  横方向センタリング配列型画素に対する処理を説明するための模式図である。
【図２２】  Π配列型画素に対する処理を説明するための模式図である。
【図２３】  実施の形態５に係る処理を説明するための模式図である。
【図２４】  実施の形態５に係る処理を説明するための模式図である。
【図２５】  実施の形態５に係る処理を説明するための模式図である。
【図２６】  実施の形態５に係る処理を説明するための模式図である。
【図２７】  実施の形態５に係る処理を説明するための模式図である。
【図２８】  従来の第１の表示装置を説明するための模式図である。
【図２９】  従来の第１の表示装置を説明するための模式図である。
【図３０】  従来の第１の表示装置を説明するための模式図である。
【図３１】  従来の第２の表示装置を説明するための模式図である。
【符号の説明】
１  表示装置、２  表示部、２Ａ，２ＡＡ，２ＡＢ  画面、３  駆動部、Ｃ  ドット（サブピクセル）、Ｐ  画素（ピクセル）、Ｄ  画素データ、ＬＴ，ＲＢ，ＬＢ，ＲＴ  画素群（第１及び第２画素群）、ＫＬ，ＫＲ  斜め境界（斜め輪郭）、Ｋ  仮想境界、ＳＢ，ＳＴ  部分（面積）、ＰＢ，ＰＴ  画素群（第３及び第４画素群）、ｈ  水平方向（第１方向）、ｖ  垂直方向（第２方向）。
【図１】
0003919557.tif 000003
【図２】
0003919557.tif 000004
【図３】
0003919557.tif 000005
【図４】
0003919557.tif 000006
【図５】
0003919557.tif 000007
【図６】
0003919557.tif 000008
【図７】
0003919557.tif 000009
【図８】
0003919557.tif 000010
【図９】
0003919557.tif 000011
【図１０】
0003919557.tif 000012
【図１１】
0003919557.tif 000013
【図１２】
0003919557.tif 000014
【図１３】
0003919557.tif 000015
【図１４】
0003919557.tif 000016
【図１５】
0003919557.tif 000017
【図１６】
0003919557.tif 000018
【図１７】
0003919557.tif 000019
【図１８】
0003919557.tif 000020
【図１９】
0003919557.tif 000021
【図２０】
0003919557.tif 000022
【図２１】
0003919557.tif 000023
【図２２】
0003919557.tif 000024
【図２３】
0003919557.tif 000025
【図２４】
0003919557.tif 000026
【図２５】
0003919557.tif 000027
【図２６】
0003919557.tif 000028
【図２７】
0003919557.tif 000029
【図２８】
0003919557.tif 000030
【図２９】
0003919557.tif 000031
【図３０】
0003919557.tif 000032
【図３１】
0003919557.tif 000033